(57)【特許請求の範囲】
【請求項１】
粒体である内容物を収納した容器体(1) の口部に組付き、該容器体(1) の傾動注出操作によって、一定量の粒状内容物を取り出す定量取り出しキャップ(2) であって、前記容器体(1) の口部に挿入組付きし、周壁の後側部分のやや上位に侵入開口部(6) を開設した有底筒形状のカップ体(3) と、該カップ体(3) の開口部に組付く頂壁(9) に、前記カップ体(3) の中央部から上端にかけての内部を前室(7) と後室(8) とに仕切る仕切り壁(10)を垂下設し、該仕切り壁(10)が形成する前記前室(7) に対向する前記頂壁(9) の前半部分に注出開口部(11)を開設した仕切り体(4) と、前記注出開口部(11)を開閉するキャップ体(5) と、から構成し、前記仕切り壁(10)を、平断面形状が中央部を後方に湾曲突出させた湾曲板片状として成る粒体定量取り出しキャップ。
【発明の詳細な説明】
【０００１】
【産業上の利用分野】
本発明は、容器体に組付けられ、容器体に収納された洗剤等の粒状内容物を、容器体の傾動注出操作に従って、注出操作毎に一定量づつ注出する粒体定量取り出しキャップに関するものである。
【０００２】
【従来の技術】
厚紙容器とかパックインボックス等の容器体に組付けられ、この容器体に収納された洗剤等の粒状内容物を、容器体の傾動注出操作に従って、この注出操作毎に一定量づつ注出することのできる粒体定量取り出しキャップが存在する。
【０００３】
この従来の粒体定量取り出しキャップは、容器体の口部に挿入組付きし、周壁の後側部分のやや上位に侵入開口部を開設した有底筒形状のカップ体と、このカップ体の開口部に組付く頂壁に、カップ体の中央部から上端にかけての内部を前室と後室とに仕切る仕切り壁を垂下設し、この仕切り壁が形成する前室に対向する頂壁の前半部分に注出開口部を開設した仕切り体と、この仕切り体に形成された注出開口部を開閉するキャップ体と、から構成されている。
【０００４】
こうした構造において、粒状内容物を取り出すべく、キャップ体を開放して注出開口部を開状態とした後、容器体を前方に略逆立姿勢となるまで傾動すると、注出開口部から粒状内容物が注出されると共に、容器体内の粒状内容物が、カップ体の周壁に形成された侵入開口部からカップ体内の後室の侵入開口部よりも上位に位置する一定容積の上室部に充填され、この充填により定量化され、粒状内容物の注出完了後、容器体を逆立傾動姿勢から正立姿勢に戻すと、上室部に充填された粒状内容物が自重により、前室および後室の下位に位置するカップ体の下端部である底室部に移動する。
【０００５】
この状態から、再び粒状内容物を注出すべく容器体を前方に略逆立姿勢となるまで傾動すると、このカップ体の底室部に位置した定量化された粒状内容物が前室を通過して注出開口部から注出されると共に、新たな粒状内容物が侵入開口部からカップ体の後室の上室部に充填されて定量化され、次の粒状内容物の定量取り出しに備える。
【０００６】
【発明が解決しようとする課題】
しかしながら、上記した従来技術にあっては、仕切り体の仕切り壁が直立した平板状であるため、侵入開口部から後室に侵入した粒状内容物がそのまま堆積し易く、このため先に侵入して堆積した粒状内容物により、後からの粒状内容物の後室への侵入が阻害され、このため粒状内容物の後室への充填量が一定せず、粒状内容物の安定した定量取り出しが達成できないと云う問題があった。
【０００７】
上記した問題点に対する対応策として、予め後室の上室部の容積を大きめに成形しておく手法が考えられるが、粒状内容物の堆積による後からの粒状内容物の侵入阻害は、常に一定した状態で発生するとは限らないので、粒状内容物の定量取り出しが達成できないことになるばかりか、一回の注出操作で定量以上の粒状内容物の取り出しが数多く行われることになり、粒状内容物の消費がきわめて不経済となると云う問題がある。
【０００８】
また、カップ体の底室部に位置した粒状内容物の注出通路となる前室は、その通路断面形状および下端開口部形状が半円形となっているため、底室部から前室に流下しようとする粒状内容物の中央部分が、仕切り壁に引っ掛かって、その一部が前室側に流下することができず、折角上室部で定量化を達成しても、注出される粒状内容物の定量化を達成できない場合が多発すると云う問題があった。
【０００９】
このように、底室部から前室を通って流下注出される粒状内容物に対して、仕切り壁が接触するので、その分、注出される粒状内容物の流動性を低下させることになり、このため必ずしも粒状内容物の円滑な注出動作を得ることができるとは限らないと云う問題があった。
【００１０】
そこで、本発明は、上記した従来技術における問題点を解消すべく創案されたもので、仕切り壁の組付けられたカップ体内における粒状内容物の円滑な流動性を確保することを技術的課題とし、もって粒状内容物の正確で確実な定量化を達成すると共に、粒状内容物の円滑な注出動作を得ることを目的とする。
【００１１】
【課題を解決するための手段】
上記技術的課題を解決する、本発明の手段は、
粒体である内容物を収納した容器体の口部に組付き、この容器体の傾動注出操作によって、一定量の粒状内容物を取り出す定量取り出しキャップであること、
容器体の口部に挿入組付きし、周壁の後側部分のやや上位に侵入開口部を開設した有底筒形状のカップ体を有すること、
このカップ体の開口部に組付く頂壁に、カップ体の中央部から上端にかけての内部を前室と後室とに仕切る仕切り壁を垂下設し、この仕切り壁が形成する前室に対向する頂壁の前半部分に注出開口部を開設した仕切り体を有すること、
仕切り体の注出開口部を開閉するキャップ体を有すること、
仕切り体の仕切り壁を、平断面形状が中央部を後方に湾曲突出させた湾曲板片状とすること、
にある。
【００１２】
【作用】
粒状内容物の取り出しは、前記した従来技術と同様に、容器体の略逆立姿勢への傾動に伴う、粒状内容物の底室部から前室を通って注出開口部からの注出および侵入開口部から後室の上室部への侵入と、容器体の正立姿勢への復帰傾動に伴う、粒状内容物の上室部から底室部への流下との繰り返しにより達成される。
【００１３】
粒状内容物の侵入開口部から後室の上室部への侵入に際して、侵入開口部から上室部に侵入した粒状内容物は、従来のように、仕切り壁にぶつかってからそのまま堆積するのではなく、仕切り壁が円弧状に湾曲して、その両側部分が侵入する粒状内容物に対して下降傾斜した状態となっているので、仕切り壁にぶつかった後、仕切り壁上を上室部の奥部（正立姿勢で上端部）まで円滑に流下し、これにより上室部内に隙間なく充填し、これにより正確な定量化が達成される。
【００１４】
粒状内容物の底室部から前室を通っての注出に際して、前室の通路断面形状および前室下端開口形状が、流下する粒状内容物の中央部に対向する部分、すなわち仕切り壁が形成する流路面部分が、大きく湾曲して後退した形状となっているので、その中央部分を盛り上げた状態で流下する底室部内の定量化された粒状内容物が、その一部を仕切り壁下端部に引っ掛けて残留させることなく、かつ仕切り壁にその流動性を阻害されることなく、円滑に自然流下する。
【００１５】
【実施例】
以下、本発明の一実施例を、図１ないし図３を参照しながら説明する。
本実施例において、容器体１は、洗剤等の粒状内容物を収納し、外周面に螺条を形成した口部を、有底筒形状をした胴部の上端縁前端（図１参照）に立設した構成となっている。
【００１６】
カップ体３は、その周壁の後側部分のやや上位に、粒状内容物を侵入させるための侵入開口部６を開設した、容器体１の口部内に挿入可能な有底筒形状をしていて、その上部に容器体１の口部に外嵌して螺合組付きする組付き筒部１４を連設し、仕切り体４の頂壁９を不動に嵌入組付けする上端部の外周面には、キャップ体５の離脱不能な外嵌組付きを達成維持する突周条１５を設けている。
【００１７】
仕切り体４は、その周端縁に、カップ体３の上端部に不動に嵌入組付きする筒壁片を連設した頂壁９の下面中央部から、平断面形状が中央部を後方に湾曲突出させた形状となった仕切り壁１０を垂下設し、この仕切り壁１０よりも前側となる頂壁９の前半部分に注出開口部１１を開設した構成となっている。
【００１８】
カップ体３内に挿入組付けされる仕切り壁１０は、仕切り体４をカップ体３に不動に組付けた状態で、その両側端縁をカップ体３の内周面に密に当接させるべく構成されていて、後室８内に侵入した粒状内容物の一部がそのまま前室７に流出することがないようにしている。
【００１９】
なお、図示実施例にあっては、仕切り体４のカップ体３に対する組付きは、頂壁９部分だけで達成され、仕切り壁１０は吊下げ状に保持されただけの不安定と思われる状態となるが、仕切り壁１０の安定した姿勢が要求される粒状内容物の定量化動作時には、後室８の上室部１２に流下侵入する粒状内容物を受け止める仕切り壁１０は、その両側端縁がカップ体３に当接して支持された状態となるので、粒状内容物の定量取り出し動作中、カップ体３に対して安定した組付き状態となる。
【００２０】
また、仕切り壁１０の高さは、仕切り体４がカップ体３に組付いた状態で、仕切り壁１０の下方に形成されるカップ体３内の底室部１３の容積が、上部室１２の容積よりも充分に大きくなるように設定されているが、これは容器体１を正立姿勢に戻した際に、上室部１２から底室部１３に流下した定量化された粒状内容物の全体が、仕切り壁１０の下端縁の下方に位置し、これにより注出のための傾動動作時に、底室部１３内の粒状内容物が仕切り壁１０の下端縁に引っ掛かることが無いようにするためである。
【００２１】
キャップ体５は、カップ体３の上端部に離脱不能に組付く嵌合筒部１６と、この嵌合筒部１６の後側上端部に三点ヒンジ１８を介して開閉回動自在に連結された蓋部１７とから構成されていて、嵌合筒部１６は、カップ体３の上端部に対する離脱不能な外嵌組付きにより、仕切り体４のカップ体３に対する離脱不能な組付きを達成し、また蓋部１７には、閉姿勢時に、仕切り体４の頂壁９に開設された注出開口部１１に略密に嵌入して、注出開口部１１の密閉を達成すると共に、蓋部１７の閉姿勢状態を安定化させる栓筒片が設けられている。
【００２２】
なお、図示実施例にあっては、キャップ体５の嵌合筒部１６には、その上端に頂板が一体設され、仕切り体４の注出開口部１１に対向する頂板部分に同一形状および寸法の開口部を開設した構成となっているが、これは蓋部１７による閉状態保持動作が、キャップ体５とは別体物である仕切り体４の注出開口部１１に対するよりも、キャップ体５の一部である嵌合筒部１６の開口部に対する方が、確実にかつ安定的に達成できるためであり、このため仕切り体４の注出開口部１１の開口端面（上端面）は、キャップ体５の開口部の開口端面（下端面）に密接触するよう構成されている。
【００２３】
【発明の効果】
本発明は、上記した構成となっているので、以下に示す効果を奏する。
仕切り体の仕切り壁を、その平断面形状が後方に湾曲突出した湾曲板片状とすることにより、カップ体内の後室に対する粒状内容物の侵入流動が、後室の上室部最深部まで速やかにかつ円滑に達成されるものとし、もって粒状内容物の定量化を確実にかつ正確に達成することができる。
【００２４】
仕切り体の仕切り壁を、その平断面形状が後方に湾曲突出した湾曲板片状とすることにより、カップ体の底室部に位置した粒状内容物の前室に対する流下通過動作が、仕切り壁に阻害されることなく自然な状態で達成されることになり、もって粒状内容物の円滑で良好な注出動作を得ることができる。
【図面の簡単な説明】
【図１】本発明の一実施例を示す、閉状態時の全体縦断側面図。
【図２】図１に示した実施例の、仕切り体の平面構成を点線図示した全体平面図。
【図３】図１に示した実施例の、侵入開口部を構成を示す全体背面図。
【符号の説明】
１  ；  容器体
２  ；  定量取り出しキャップ
３  ；  カップ体
４  ；  仕切り体
５  ；  キャップ体
６  ；  侵入開口部
７  ；  前室
８  ；  後室
９  ；  頂壁
１０；  仕切り壁
１１；  注出開口部
１２；  上室部
１３；  底室部
１４；  組付き筒部
１５；  突周条
１６；  嵌合筒部
１７；  蓋部
１８；  三点ヒンジ
【図１】
0003689749.tif 000002
【図２】
0003689749.tif 000003
【図３】
0003689749.tif 000004